(57)【特許請求の範囲】
【請求項１】
建築物の所定階の床部上においてＲＣ壁を打設形成した後、これを立て起こして構築するＲＣ壁の構築方法であって、
上記床部上に遮断材を設置し、該遮断材上にＲＣ壁としてコンクリート構造物を寝かせた状態に形成するための縁型枠を仮設し、該縁型枠にて形成されるＲＣ壁の一側辺に下層階のＲＣ壁から上記床部を貫通して前記ＲＣ壁に連なるように配筋した前記ＲＣ壁を所定強度確保するとともに、前記ＲＣ壁を上方の天井部と接合する連係用の配筋を形成する工程と、
上記縁型枠にコンクリートを打設し、該コンクリート上を遮断材で被覆する工程と、
硬化したコンクリート構造物からなるＲＣ壁を、前記床部との配筋による連係部分を支点として立て起こす工程と、
床部及びＲＣ壁の連係部分である前記配筋の囲りに接合型枠を仮設し、該接合型枠にコンクリートを打設する工程と、
を含むことを特徴とするＲＣ壁の構築方法。
【発明の詳細な説明】
【０００１】
【産業上の利用分野】
本発明はＲＣ壁の構築方法、更に詳細には建築物の所定階の床部上においてＲＣ壁を寝かせた状態に打設形成した後、これを立て起こして構築するＲＣ壁の構築方法に関する。
【０００２】
【従来の技術】
従来から、建築物のＲＣ壁の構築においては、ＲＣ壁の形成予定位置に直接、型枠を設置し、その型枠にコンクリートを打設してＲＣ壁を形成する構築方法が採られている。
【０００３】
【発明が解決しようとする課題】
しかしながら、上記従来の構築方法にあっては、ＲＣ壁を打設形成するために多量の型枠資材を要する上、この型枠資材の運搬に莫大な費用を要するといった欠点がある。
【０００４】
本発明は上述の従来の技術の欠点に着目し、これを解決せんとしたものであり、その目的は、ＲＣ壁の打設形成時に要する型枠資材を大幅に軽減することができ、これに伴って型枠資材の運搬にかかる費用をも大幅に軽減することができ、更にＲＣ壁としてのコンクリート構造物を容易に養生することができるＲＣ壁の構築方法を提供することにある。
【０００５】
【課題を解決するための手段】
本発明は上記の目的に鑑みてなされたものであり、その要旨とするところは、建築物の所定階の床部上においてＲＣ壁を打設形成した後、これを立て起こして構築するＲＣ壁の構築方法であって、上記床部上に遮断材を設置し、該遮断材上にＲＣ壁としてコンクリート構造物を寝かせた状態に形成するための縁型枠を仮設し、該縁型枠にて形成されるＲＣ壁の一側辺に下層階のＲＣ壁から上記床部を貫通して前記ＲＣ壁に連なるように配筋した前記ＲＣ壁を所定強度確保するとともに、前記ＲＣ壁を上方の天井部と接合する連係用の配筋を形成する工程と、上記縁型枠にコンクリートを打設し、該コンクリート上を遮断材で被覆する工程と、硬化したコンクリート構造物からなるＲＣ壁を、前記床部との配筋による連係部分を支点として立て起こす工程と、床部及びＲＣ壁の連係部分である前記配筋の囲りに接合型枠を仮設し、該接合型枠にコンクリートを打設する工程と、を含むことを特徴とするＲＣ壁の構築方法にある。
【０００６】
打設形成されるＲＣ壁としてのコンクリート構造物には、縁型枠に施される配筋によるプレテンション方式によって所定強度を確保するようプレストレスを付与することができる。また、予めシースなどを設けておきポストテンション方式によってプレストレスを付与することもできる。
【０００７】
上記遮断材を床部上に設置することにより、床部上を利用して打設形成されるコンクリート構造物を、床部から独立して形成することできる上、コンクリート構造物の一側面を容易に養生することができる。また、縁型枠に打設したコンクリート上を被覆した遮断材によって、コンクリート構造物の他側面を容易に養生することができる。遮断材としては、具体的には例えばビニールシート、木毛セメント板、発泡スチロール板等の中から適当なものを使用することができる。特に発泡スチロール板を用いれば、断熱材としても利用することができる。
【０００８】
上述したいずれの型枠においても、下層階で使用した型枠を再度使用することができ、ＲＣ壁の打設形成を床部上を利用して行なうので、この打設形成時に要する型枠資材の量を大幅に軽減することができる。また、縁型枠からは、周囲の側壁部や、情報に形成される天井部と確実に接合するために連係用の配筋を突設することができる。
【０００９】
硬化したコンクリート構造物からなるＲＣ壁は、例えば油圧ジャッキ、ワイヤー、電動ウインチ、クレーン等の適当な設備によって容易に立て起こすことができる。
【００１０】
【作用】
本発明にかかるＲＣ壁の構築方法では、まず、建築物の所定階の床部上に遮断材を設置することにより該床部から独立したコンクリート構造物の打設形成を可能とすると共に、該コンクリート構造物の一側面の養生を可能にする。また、該遮断材上にＲＣ壁としてのコンクリート構造物を寝かせた状態に形成するための縁型枠を仮設すると共に、該縁型枠にて形成されるＲＣ壁の一側辺が該床部と連なるように、且つ該ＲＣ壁が所定強度を確保するように配筋した後、上記縁型枠にコンクリートを打設し、該コンクリート上を遮断材で被覆することでコンクリート構造物の他側面の養生を可能にする。次いで、硬化したコンクリート構造物からなるＲＣ壁を、床部との配筋による連係部分を支点として立て起こす。そして、床部及びＲＣ壁の連係部分に接合型枠を仮設し、該接合型枠にコンクリートを打設する。
【００１１】
縁型枠には、下層階の打設形成時に使用した型枠資材を再度使用することができ、型枠資材の量の大幅な軽減を可能にし、これに伴って型枠資材の運搬にかかる大幅な費用の軽減をも可能にする。
【００１２】
【実施例】
以下、本発明の実施例を添付図面に基づいて説明するが、本発明はこれに限定されるものではない。図１（ａ）〜（ｃ）は、本発明にかかるＲＣ壁の構築方法の実施例を示す工程図である。
【００１３】
本発明のかかるＲＣ壁の構築方法は、図示するように、建築物の所定階の床部１１上においてＲＣ壁Ａを打設形成した後、これを立て起こして構築するＲＣ壁Ａの構築方法である。
【００１４】
まず、上記床部１１上に遮断材としてのビニールシート１２を設置し、該遮断材上にＲＣ壁Ａとしてのコンクリート構造物１４を寝かせた状態に形成するための縁型枠（図示せず）を仮設すると共に、該縁型枠にて形成されるＲＣ壁Ａの一側辺が該床部１１と連なるように（配筋１５）、且つ該ＲＣ壁Ａが所定強度を確保するように配筋した後（補強用の配筋は図示せず）、上記縁型枠にコンクリートを打設し、該コンクリート上をビニールシート１３で被覆する（図１（ａ））。ここで縁型枠には、下層階で使用した型枠資材を再度利用しており、これによって型枠資材の量の軽減を図っている。また、縁型枠に打設したコンクリート上を被覆したビニールシート１３によって、当該コンクリート上の養生を行なっている。更に、縁型枠からは、周囲の側壁部や、情報に形成される天井部と確実に接合することができるよう連係用の配筋１６を突設している。
【００１５】
次いで、図１（ｂ）に示すように、硬化したコンクリート構造物１４からなるＲＣ壁Ａを、床部１１との配筋１５による連係部分を支点として立て起こしている。このＲＣ壁の立て起こしは、油圧ジャッキ、ワイヤー、電動ウインチ、クレーン等の中から適当な設備を使用して行なう。
【００１６】
そして、図１（ｃ）に示すように、床部１１及びＲＣ壁Ａの連係部分に接合型枠（図示せず）を仮設し、該接合型枠にコンクリートを打設してＲＣ壁Ａを固定している（コンクリート構造物１７）。
【００１７】
【発明の効果】
本発明にかかるＲＣ壁の構築方法によれば、建築物の所定階の上記床部上において設置した遮断材上にＲＣ壁としてのコンクリート構造物を寝かせた状態に形成するための縁型枠を仮設すると共に、該縁型枠にて形成されるＲＣ壁の一側辺が該床部と連なるように、且つ該ＲＣ壁が所定強度を確保するように配筋した後、上記縁型枠にコンクリートを打設して、該コンクリート上を遮断材で被覆し、硬化したコンクリート構造物からなるＲＣ壁を、床部との配筋による連係部分を支点として立て起して、床部及びＲＣ壁の連係部分に仮設した接合型枠にコンクリートを打設するようにしたので、ＲＣ壁の打設形成時に要する型枠資材の量を大幅に軽減することができ、これに伴って型枠資材の運搬にかかる費用を大幅に軽減することができ、更にＲＣ壁としてのコンクリート構造物を容易に養生することができる。
【図面の簡単な説明】
【図１】（ａ）〜（ｃ）は本発明にかかるＲＣ壁の構築方法の実施例を示す工程図である。
【符号の説明】
１１  床部
１２，１３  ビニールシート（遮断材）
１４，１７  コンクリート構造物
１５，１６  配筋
Ａ  ＲＣ壁
【図１】
0003612108.tif 000002